(57)【特許請求の範囲】
【請求項１】
吸込口と排気口を有する本体ケースと、
この本体ケース内の前記吸込口と前記排気口を結ぶ風路に設けた加熱手段および送風手段と、
この送風手段と前記排気口間の風路内に設けた液体微細化手段と、
この液体微細化手段と加熱手段および送風手段を制御する制御手段を備え、
前記液体微細化手段は、
垂直方向に配置され、上方開口部および下方開口部を有する筒状の経路と、
この筒状の経路内に設けた回転手段と、
この回転手段に液体を供給する液体供給手段と、
前記筒状の経路の下部に設けられた前記筒状の経路内に溜まった液体を排出する排水口と、
この排水口に接続した排水管と、
この排水管の終端に設けた排水弁とを有し、
前記回転手段は、
上下方向に向けて配置した回転軸と、
この回転軸を回転させる回転モータと、
前記回転軸の軸方向に所定間隔で固定した複数の回転板とを有し、
前記液体供給手段は、
液体を移送し、上方の回転板に液体を供給する給水管と、
この給水管途中に配した定流量弁と、この定流量弁の上流側に設けた給水弁とを有し、前記送風手段は、
羽根車とこの羽根車を回転させるファンモータと、
前記羽根車を内包するファンケーシングと、
前記ファンモータの回転数を検知する回転数検知手段を有し、
前記制御手段は、前記液体供給手段から前記上方の回転板上への液体供給と、前記回転モータの回転と、前記加熱手段および前記送風手段の運転とを制御する制御部を備え、
この制御部は、前記回転数検知手段からの信号にもとづき前記筒状の経路内の水位異常を検知して、水位異常を検知したときは、前記液体供給手段から前記上方の回転板上への液体供給と、前記回転モータの回転と、前記加熱手段および前記送風手段の運転とを停止す
ることを特徴とする液体微細化装置。
【請求項２】
吸込口と排気口を有する本体ケースと、
この本体ケース内の前記吸込口と前記排気口を結ぶ風路に設けた加熱手段および送風手段と、
この送風手段と前記排気口間の風路内に設けた液体微細化手段と、
この液体微細化手段と加熱手段および送風手段を制御する制御手段を備え、
前記液体微細化手段は、
垂直方向に配置され、上方開口部および下方開口部を有する筒状の経路と、
この筒状の経路内に設けた回転手段と、
この回転手段に液体を供給する液体供給手段と、
前記筒状の経路の下部に設けられた前記筒状の経路内に溜まった液体を排出する排水口と、
この排水口に接続した排水管と、
この排水管の途中に設けた排水弁とを有し、
前記回転手段は、
上下方向に向けて配置した回転軸と、
この回転軸を回転させる回転モータと、
前記回転軸の軸方向に所定間隔で固定した複数の回転板とを有し、
前記液体供給手段は、
液体を移送し、上方の回転板に液体を供給する給水管と、
この給水管途中に配した定流量弁と、
この定流量弁の上流側に設けた給水弁とを有し、
前記送風手段は、
羽根車とこの羽根車を回転させるファンモータと、
前記羽根車を内包するファンケーシングと、
前記ファンモータの回転数を検知する回転数検知手段を有し、
前記制御手段は、前記液体供給手段から前記上方の回転板上への液体供給と、前記回転モータの回転と、前記加熱手段および前記送風手段の運転とを制御する制御部を備え、
この制御部は、前記回転数検知手段からの信号にもとづき前記筒状の経路内の水位異常を検知して、水位異常を検知したときは、前記液体供給手段から前記上方の回転板上への液体供給と、前記回転モータの回転と、前記加熱手段の運転とを停止し前記送風手段の運転は継続することを特徴とする液体微細化装置。
【請求項３】
前記回転モータの回転数を検知する第２の回転数検知手段を有し、
前記ファンモータの回転数を検知する前記回転数検知手段の信号または前記回転モータの回転数を検知する前記第２の回転数検知手段からの信号をもとに前記筒状の経路内の水位異常を検知することを特徴とする請求項１または２に記載の液体微細化装置。
【請求項４】
ファンケーシングの舌部の水平方向の高さが、前記筒状の経路の下方開口部の水平方向の開口高さより高いことを特徴とする請求項１から３のいずれか一つに記載の液体微細化装置。
【請求項５】
下方の回転板の水平方向の高さが、前記ファンケーシングの舌部の水平方向の高さより低いことを特徴とする請求項４に記載の液体微細化装置。
【請求項６】
前記制御手段は、外部に液位異常を表示する表示部を備え、前記ファンモータの回転数を検知する回転数検知手段および／または前記回転モータの回転数を検知する回転数検知手段からの信号により、液位異常と判断した場合、前記液体供給手段から前記上方の回転板上への液体供給と、前記回転モータの回転駆動と、前記加熱手段および前記送風手段の運
転とを停止するとともに、前記表示部に液位異常を表示することを特徴とする請求項１から５のいずれか一つに記載の液体微細化装置。
【請求項７】
前記制御手段は、排水操作スイッチを有し、液位異常と判断し、前記排水操作スイッチが操作された場合に、前記排水弁を開くことを特徴とする請求項１から６のいずれか一つに記載の液体微細化装置。
【請求項８】
筒状の経路の下部に溜まった残液の温度を検知する液温検知手段を設けた請求項１から７のいずれか一つに記載の液体微細化装置。
【請求項９】
液温検知手段を前記筒状の経路の下部の外面に設けたことを特徴とする請求項８記載の液体微細化装置。
【請求項１０】
液温検知手段で検知した液温を前記表示部に表示することを特徴とする請求項８または９に記載の液体微細化装置。
【請求項１１】
前記液体供給手段から前記上方の回転板上への液体供給開始前に、前記排水弁を閉じることを特徴とする請求項１から１０のいずれか一つに記載の液体微細化装置。
【請求項１２】
請求項１から１１のいずれか一つに記載の液体微細化装置をサウナ室の天井に設けたサウナ装置。
【発明の詳細な説明】
【技術分野】
【０００１】
本発明は、液体微細化装置とそれを用いたサウナ装置に関するものである。
【背景技術】
【０００２】
例えば、サウナ装置に用いられる液体微細化装置の構成は、次のような構成となっていた。
【０００３】
すなわち、吸込口と排気口を有する本体ケースと、この本体ケース内の通気路に設けた加熱手段および送風手段と、この送風手段と排気口間に設けた微細化手段とを備え、前記微細化手段は、給水管から液体を噴射させる構成となっていた（例えば特許文献１参照）。
【先行技術文献】
【特許文献】
【０００４】
【特許文献１】特開平６−６３１０３号公報
【発明の概要】
【発明が解決しようとする課題】
【０００５】
上記従来例で課題となるのは、ノズルから噴出された液体のうち、微細化できなかった液体を排出するために、サウナ室に配管を施工しなければならず、サウナ装置設置時の施工作業が煩雑になるということである。
【０００６】
すなわち、ノズルから液体を噴出して液体を微細化するタイプのものでは、液体を完全に微細化することができず、サウナ装置に残った大量の微細化できなかった液体を処理するためにサウナ室に配管を延長して、この微細化できなかった液体をサウナ室に排出するようになっている。このような配管をサウナ室に美観的に施工するのは非常に煩雑な作業となっている。
【０００７】
そこで本発明は、サウナ装置設置時の施工作業を簡単に行えるようにすることを目的とするものである。
【課題を解決するための手段】
【０００８】
そして、この目的を達成するために本発明は、吸込口と排気口を有する本体ケースと、この本体ケース内の前記吸込口と前記排気口を結ぶ風路に設けた加熱手段および送風手段と、この送風手段と前記排気口間の風路内に設けた液体微細化手段と、この液体微細化手段と加熱手段および送風手段を制御する制御手段を備え、前記液体微細化手段は、垂直方向に配置され、上方開口部および下方開口部を有する筒状の経路と、この筒状の経路内に設けた回転手段と、この回転手段に液体を供給する液体供給手段と、前記筒状の経路の下部に設けられた前記筒状の経路内に溜まった液体を排出する排水口と、この排水口に接続した排水管と、この排水管の途中に設けた排水弁とを有し、前記回転手段は、上下方向に向けて配置した回転軸と、この回転軸を回転させる回転モータと、前記回転軸の軸方向に所定間隔で固定した複数の回転板とを有し、前記液体供給手段は、液体を移送し、上方の回転板に液体を供給する給水管と、この給水管の終端に配した定流量弁と、この定流量弁の上流側に設けた給水弁とを有し、前記送風手段は、羽根車とこの羽根車を回転させるファンモータと、前記羽根車を内包するファンケーシングと、前記ファンモータの回転数を検知する回転数検知手段を有し、前記制御手段は、前記液体供給手段から前記上方の回転板上への液体供給と、前記回転モータの回転駆動と、前記加熱手段および前記送風手段の運転を制御する制御部を備え、この制御部は、前記回転数検知手段からの信号にもとづき前記液体供給手段から前記上方の回転板上への液体供給と、前記回転モータの回転駆動と、前記加熱手段および前記送風手段の運転とを停止することを特徴とし、通常時、液体微細化装置に供給された液体はほとんど全て微細化されるため微細化できなかった液体が液体微細化装置内に溜まることはなく、異常時に微細化できなかった液体が液体微細化装置内に溜まっても本体ケースから液漏れがないよう、送風手段のファンモータの回転数を検知して液体供給を停止することにより、上記目的を達成している。
【発明の効果】
【０００９】
以上のように、本発明は、送風手段のファンモータの回転数を検知して液体供給を停止することにより、異常時に微細化できなかった液体が液体微細化装置内に溜まってきても本体ケースから液漏れがないようにできるので、結果として、液体微細化装置設置時の施工作業を簡単に行えるようにすることができる。
【００１０】
つまり、正常な運転状態では、液体微細化装置に供給された液体はほとんど全て微細化され、排気口から排出されるが、例えば定流量弁の故障で設定した流量より多く液体が液体微細化装置に供給された場合、微細化できなかった液体が液体微細化装置内に溜まってきて通風抵抗（圧力損失）が大きくなってくる。すなわち、この溜まった液体が送風手段の風路を狭くするので、送風手段のファンモータの回転数の変化により異常を検知することができる。
【００１１】
そして液体供給を停止することにより、本体ケースから液漏れがないようにできるのである。しかし、液漏れが生じる場合には液体が溜まらないように常時排出する必要があるため、配管を施工しなければならず、本発明では、その必要がなく、設置時の施工作業が簡単になるという効果を奏する。
【図面の簡単な説明】
【００１２】
【図１】本発明の実施の形態１における液体微細化装置を用いたサウナ装置の斜視図
【図２】同液体微細化装置の垂直断面の構成図
【図３】同制御手段のブロック図
【図４】同異常時の制御を示すフローチャート
【発明を実施するための形態】
【００１３】
以下、本発明の実施の形態について、図面を参照しながら説明する。
【００１４】
（実施の形態１）
図１は、本発明の実施の形態における液体微細化装置を用いたサウナ装置の斜視図であり、この図１に示すように、サウナ室１の天井面２には、液体微細化装置３が取り付けられている。以下、本実施の形態では、微細化する液体を水として説明する。
【００１５】
液体微細化装置３は、図２に示すように、吸込口４と排気口５を有する本体ケース６と、この本体ケース６内の吸込口４と排気口５とを結ぶ風路に設けた加熱手段としての熱交換器７および送風手段としてのファンモータ８と、このファンモータ８と排気口５との間に設けた液体微細化手段９とを備えた構成としている。
【００１６】
また、ファンモータ８から液体微細化手段９へ通じる風路は、ファンケーシング１０により形成され、液体微細化手段９と排気口５の間に補助熱交換器１１を設けている。
【００１７】
液体微細化手段９は、図２に示すように、筒状の経路１２と、この筒状の経路１２の内部に設けた回転手段１３と、この回転手段１３に水を供給する液体供給手段としての給水管１４を備える。この給水管１４には定流量弁１５を設け、この定流量弁１５の上流側配管１６に給水弁１７が設けられている。そして、給水管１４の先端は、後述する回転板２０ａの回収部分に対して回転軸１９よりに配置している。
【００１８】
回転手段１３は、回転軸１９と、この回転軸１９の軸方向に、回転軸１９を中心として回動する複数の回転板２０ａ，２０ｂを所定間隔で固定して設けている。本実施の形態では、回転軸１９の上方に設けた回転板２０ａと、下方に設けた回転板２０ｂとの二つを設ける構成とする。
【００１９】
回転手段１３の上部には、回転軸１９を駆動するための回転モータ２１を備え、回転手段１３の下部には、回転モータ２１の駆動により高速回転する回転軸１９および複数の回転板２０ａ，２０ｂを支えるための保持部２２を備えている。
【００２０】
筒状の経路１２の内壁には、内壁に付着した水を下方の回転板２０ｂへと案内する液体案内手段２３として、貯水手段２４および水路２５を設ける構成とする。
【００２１】
液体案内手段２３は、図２に示すように、筒状の経路１２の内壁に付着した水を下方の回転板２０ｂへと案内するために、本実施の形態では、上方の回転板２０ａと下方の回転板２０ｂとの間に、筒状の経路１２の内壁に沿って貯水手段２４を設け、この貯水手段２４から下方の回転板２０ｂの上面へと水を案内する水路２５を設ける構成とする。水路２５は、貯水手段２４の三方から筒状の経路１２の中心に向かって伸びる形状とし、図２に示すように下方の回転板２０ｂの上面で中心に向かい開口している。
【００２２】
また、筒状の経路１２の下部には排水口２６を有し、この排水口２６には排水管２７が接続され、この排水管２７の途中に排水弁２８が設けられている。
【００２３】
また、ファンケーシング１０の舌部２９の水平高さは、筒状の経路１２の下方開口部の上端３０の水平高さより高くなっており、下方の回転板２０ｂの水平高さよりも高くなっている。
【００２４】
また、水温検知手段としての温度センサ３６が、排水口２６近傍で筒状の経路１２の下部外面に設けられている。
【００２５】
次に制御手段３１の構成を、図３を用いて説明する。
【００２６】
制御手段３１は制御部３２と、表示部３３および排水操作スイッチ３４を備えたリモコン３５と、水温検知手段としての温度センサ３６で構成されている。
【００２７】
制御部３２はマイクロコンピューター（以下、マイコン３７と記載）を有し、マイコン３７はリモコン３５からの操作信号により、熱交換器７へ温水を供給するポンプ駆動手段３８を介してポンプ３８ａ、モータ駆動手段３９を介してファンモータ８、回転駆動手段４０を介して回転軸１９を駆動する回転モータ２１、給水弁駆動手段４１を介して給水弁１７、排水弁駆動手段４２を介して排水弁２８を制御している。
【００２８】
モータ駆動手段３９は、回転数検知手段４３と回転数指令手段４４及び電源手段４５により構成され、回転駆動手段４０は、回転数検知手段４６と回転数指令手段４７及び電源手段４８により構成されている。
【００２９】
以上の構成において、次に動作を説明する。
【００３０】
サウナ室１内において、サウナを使用する場合、まず、図示していないガス湯沸かし器や電気温水器等の熱源から、図１に示すパイプ４９を介し、図２に示す熱交換器７に温水が供給される。また、給水管１４へは配管５０により市水が供給される。給水管１４に供給される市水は、極めて少量であって、回転板２０ｂが駆動されるまでは、給水管１４から排出されていない。
【００３１】
この状態で、熱交換器７が運転され、ファンモータ８が駆動されると、ファンモータ８が吸込口４を介してサウナ室１内の空気を吸い込み、吸い込まれた空気は熱交換器７によって加熱される。加熱された空気は、ファンモータ８によって、ファンケーシング１０を介して、筒状の経路１２へと送られる。
【００３２】
一方、回転モータ２１が駆動されると、回転軸１９が高速回転し、それにともない回転板２０ａおよび回転板２０ｂが高速回転される。
【００３３】
このとき、給水管１４は、高速回転する上方の回転板２０ａの上面の回転軸１９近い位置に、定流量弁１５で設定された流量の水を供給する。上方の回転板２０ａの上面に供給された水は、高速回転による遠心力によって外周方向に向かって薄膜状に広がり、この薄膜状になった水は、回転板２０ａの外周縁から接線方向へと高速で吹き飛ばされる。
【００３４】
このように、遠心力で飛散した水滴は、筒状の経路１２の内壁に衝突して破砕され、水の微細化が促進される。
【００３５】
そして、給水管１４から上方の回転板２０ａの上面に供給された水は、この時点で大部分が微細化され、加熱された暖かい空気と混ざって蒸気の状態となっている。
【００３６】
一方、上方の回転板２０ａから遠心力により飛散した水滴のうち、微細化されずに筒状の経路１２の内壁に付着したわずかな水滴や、微細化された後に内壁において結露した微量の水滴は、筒状の経路１２の内壁をつたって、貯水手段２４に流れ落ち、貯水される。貯水手段２４に貯まったわずかな水は、水路２５を介して、貯水手段２４の三方向から、下方の回転板２０ｂの上面へと運ばれる。
【００３７】
このように、下方の回転板２０ｂに運ばれたわずかな水も、上方の回転板２０ａと同様に下方の回転板２０ｂが高速回転することにより、微細化が行われる。すなわち、筒状の経路１２の内壁から、貯水手段２４および水路２５を介して、下方の回転板２０ｂの上面に供給されたわずかな水滴は、高速回転による遠心力で外周方向に向かって薄膜状に広がって、外周縁から接線方向へと高速で吹き飛ばされ、吹き飛ばされた水滴が筒状の経路１２の内壁に衝突して破砕され、水の微細化が促進される。
【００３８】
このように、上方の回転板２０ａに供給された水は、上方の回転板２０ａが高速回転することによって大部分が微細化されるのに加え、わずかに残った微細化されなかった一部の水滴も、筒状の経路１２に設けた液体案内手段２３を介して、高速回転する下方の回転板２０ｂへと運ばれてほぼ完全に微細化される。
【００３９】
回転板２０ａおよび回転板２０ｂの高速回転によって微細化された水を含む暖かい空気は、ファンモータ８の送風によって、排気口５からサウナ室１の内部へ蒸気として供給される。
【００４０】
このとき、下方の回転板２０ｂへ運ばれた水滴がほぼ完全に微細化されるためには、給水管１４から高速回転する上方の回転板２０ａの上面に供給する水の量が問題となる。すなわち、回転板の枚数やモータの回転数等により決定される、液体微細化手段９の微細化能力により、微細化できる水の量は設定され、たとえば３０ｃｃ／ｍｉｎである。
【００４１】
このように通常の運転状態では、設定された水量を上方の回転板２０ａに供給するので、上方の回転板２０ａに供給された水は、ほぼ完全に微細化され、排気口５からサウナ室１の内部へ蒸気として供給されるため、筒状の経路１２内に微細化できなかった水が溜まることはなく、排水の必要性もない。
【００４２】
次に異常時、特に筒状の経路１２内に非微細化水が溜まった場合の動作について説明する。
【００４３】
例えば定流量弁１５の故障で設定した流量より多く水が上方の回転板２０ａの上面に供給された場合、非微細化液体が液体微細化装置３、詳細には筒状の経路１２内に溜まってきて通風抵抗（圧力損失）が大きくなってくる。すなわち、この溜まった液体が送風手段のファンモータ８の風路を狭くするので、送風手段のファンモータ８の回転数の変化により異常を検知することができる。
【００４４】
この検知方法を図４のフローチャートで説明する。
【００４５】
通常サウナ装置が運転されると、回転数指令手段４４によりファンモータ８に指定電圧が印加され、ファンモータ８が回転し筒状の経路１２の下部開口へ送風する。ファンモータ８には回転数を検知する回転数検知手段４３が設けられており、検知した回転数とマイコン３７に記憶されたファンモータ８の指示回転数とを比較する。
【００４６】
正常な運転状態なら、比較結果は同じであり、一定時間間隔で、Ａのループ（回転数検知→回転数比較→回転数検知）を実行する。また、比較結果が異なった場合は、印加電圧が指定範囲内なら印加電圧を上げ、Ｂのループ（回転数検知→回転数比較→印加電圧比較→印加電圧ＵＰ→回転数検知）を実行する。
【００４７】
ここで上記の、例えば定流量弁１５が故障した場合、微細化できなかった液体が筒状の経路１２内に溜まってくる。すなわち、筒状の経路１２下部の開口が溜まってくる水により、送風手段のファンモータ８の風路が狭くなり、通風抵抗（圧力損失）が大きくなってくる。
【００４８】
このとき、上記のＢのループを実行途中で印加電圧を上げても指示回転数にならず、印加電圧が指定範囲外となる、つまり印加電圧は指定電圧範囲より大きくなることにより、マイコン３７は水位異常が発生したと判断する。
【００４９】
このように判断すると、給水弁１７を閉じるようにマイコン３７から指令を出し、給水管１４から上方の回転板２０ａへの水供給を停止する。
【００５０】
続いてファンモータ８と回転モータ２１及びポンプ３８ａの運転も停止し、リモコン３５の表示部３３に「水位異常」と表示して（ブザー等の警報）異常を使用者に知らせる。
【００５１】
その表示から液体微細化装置３内に水が溜まっていると分かった場合、排水管２７の終端にドレンホース等を接続し、排水弁２８を開けることにより、液体微細化装置３内に溜まった水を排出することができる。
【００５２】
ここで溜まった水は約６０℃の高温水のため、水温を検知する温度センサ３６が筒状の経路１２の下部の外面に設けられており、図４のフローチャートに示すように、水温が５０℃以下で排水操作スイッチ３４が押された場合に、排水弁２８を開くようになっている。この水温は温度センサ３６で検知され、マイコン３７を介してリモコン３５の表示部３３に表示されるので、使用者はこの表示を見て、水温が下がったことを確認して、排水操作スイッチ３４を押すことが可能となる。温度センサ３６及び排水操作スイッチ３４を設けない場合は、一定時間経過しないと排水弁２８を開かないようなフローとすることにより液体微細化装置３内に溜まった水を安全に排出することができる。
【００５３】
また、上記では水位異常を検知したときにファンモータ８を停止させていたが、このファンモータ８は停止させず運転を継続した場合には、筒状の経路１２内に溜まった高温水にサウナ室内の空気を送風し続けることとなり、この空気の作用により水温を早く下げることもできる。
【００５４】
また水位異常が発生した場合、この発生回数をカウントしており、図４のフローチャートに示すように、例えば３回発生した場合、リモコン３５の表示部３３に「水位異常」と「サービスコール」を表示して（ブザー等の警報）異常発生とサービスマンへの連絡の必要性を使用者に知らせる。サービスマンへの連絡を発生回数が３回としたのは、誤作動等を配慮しての設定である。
【００５５】
また、上述した排水操作のため開けた排水弁２８は、図４のフローチャートに示すように、次のサウナ運転を開始した時に閉めるようになっている。この排水弁２８を閉めるタイミングについては、このサウナ運転の開始を検知する以外に、排水操作スイッチ３４がＯＮ／ＯＦＦの切替スイッチの場合には、排水操作スイッチ３４をＯＦＦとすることにより閉めることも可能である。
【００５６】
以上のように水位異常を検出することと、ファンケーシング１０の舌部２９の水平高さを筒状の経路１２の下方開口部の上端３０の水平高さより高くしていることにより、微細化できなかった液体が筒状の経路１２内に溜まってきても、水位が舌部２９の高さを越えて装置外へ漏れ出す前に、送風手段のファンモータ８の回転数の変化により水位異常を検知して給水管１４から上方の回転板２０ａの水供給を停止することができる。
【００５７】
次に、回転モータ２１の回転数の変化により異常を検知する場合について説明する。
【００５８】
図４のフローチャートに示すように、通常サウナ装置が運転されると、回転数指令手段４４によりファンモータ８に指定電圧が印加され、ファンモータ８が回転し筒状の経路１２の下部開口へ送風する。
【００５９】
一方、回転数指令手段４７により回転モータ２１に指定電圧が印加され、回転モータ２１が駆動されると、回転軸１９が高速回転し、それにともない回転板２０ａおよび回転板２０ｂが高速回転され、上方の回転板２０ａの上面に供給された水は、高速回転による遠心力によって外周方向に向かって薄膜状に広がり、外周縁から接線方向へと高速で吹き飛ばされ、筒状の経路１２の内壁に衝突して破砕され、水の微細化が促進される。
【００６０】
回転モータ２１には回転数を検知する回転数検知手段４６が設けられており、検知した回転数とマイコン３７に記憶された回転モータ２１の指示回転数とを比較する。
【００６１】
正常な運転状態なら、比較結果は同じであり、一定時間間隔で、Ｃのループ（回転数検知→回転数比較→回転数検知）を実行する。また、比較結果が異なった場合は、印加電圧が指定範囲内なら印加電圧を上げ、Ｄのループ（回転数検知→回転数比較→印加電圧比較→印加電圧ＵＰ→回転数検知）を実行する。
【００６２】
ここでファンモータ８の場合と同様、例えば定流量弁１５が故障した場合、微細化できなかった液体が筒状の経路１２内に溜まってくる。すなわち、筒状の経路１２下部の開口が溜まってくる水により、下方の回転板２０ｂが水没した場合、水の抵抗により回転力が低下し、回転軸１９の回転数が低下してくる。
【００６３】
このとき、上記のＢのループを実行途中で印加電圧を上げても指示回転数にならず、印加電圧が指定範囲外となることにより、マイコン３７は水位異常が発生したと判断する。
【００６４】
このように判断すると、給水弁１７を閉じるようにマイコン３７から指令を出し、給水管１４から上方の回転板２０ａの水供給を停止する。
【００６５】
続いてファンモータ８と回転モータ２１及び熱交換器７への温水供給手段としてのポンプ３８ａの運転も停止し、リモコン３５の表示部３３に「水位異常」と表示して（ブザー等の警報）異常を使用者に知らせる。
【００６６】
以下のフローはファンモータ８の場合と同様なので省略する。
【００６７】
このように図４のフローチャートにおいて、通常、水位異常発生を圧力損失増加によるファンモータ８の回転数変化により検知し、もし検知できなかった場合でも、ファンケーシング１０の舌部２９の水平高さが、下方の回転板２０ｂの水平高さよりも高くなっているため、水位が舌部２９の高さを越えて装置外へ漏れ出す前に下方の回転板２０ｂが水没し、回転モータ２１の回転数が変化する。この変化により水位異常を検知して給水管１４から上方の回転板２０ａの水供給を停止することもできる。
【００６８】
以上のように、水供給を停止することにより、本体ケース６からの水漏れを防止することができる。水漏れが生じる場合には本体ケース６内に水が溜まらないように常時排出する必要があるため配管を施工しなければならないのに対し、本発明では、水漏れが生じないため、本体ケース６内に溜まった水を常時排出する必要がなく、設置時の施工作業が簡単になるという効果を奏する。
【００６９】
すなわち送風手段のファンモータ８及び回転モータ２１の回転数の変化により異常を検知した場合、水供給を停止し、リモコン３５の表示部３３に表示して異常を使用者に知らせる。その表示から液体微細化装置３内に水が溜まっていると分かった場合、排水管２７にドレンホース等を接続し、排水弁２８を開けることにより、液体微細化装置３内に溜まった水を排出することができる。
【００７０】
以上、本実施の形態では、上記の液体微細化装置３をサウナ室１に設置してサウナ装置として利用した場合、供給した水をほぼ完全に微細化することができ、わずかに残った微細化できなかった水を特別に排出せずとも、液体微細化手段９に残った熱によって自然に乾燥できる程度の分量となるので、微細化できなかった水を排水として処理するための配管施工の工事が不要となり、結果として、サウナ装置の施工作業が簡単になるという効果を奏する。
【００７１】
さらに、例えば定流量弁１５の故障で設定した流量より多く水が上方の回転板２０ａの上面に供給された場合のような異常時にも、送風手段のファンモータ８の回転数の変化により異常を検知することができるので、液体微細化装置３からの水漏れを防止することができる。
【００７２】
そして液体微細化装置３内に水が溜まっていると分かった場合、排水管２７にドレンホース等を接続し、排水弁２８を開けることにより、液体微細化装置３内に溜まった水を排出することができる。
【００７３】
よって、水漏れが生じる場合には液体微細化装置３内に水が溜まらないように常時排出する必要があるため配管を施工しなければならないのに対し、本発明では、水漏れが生じないため、液体微細化装置３内に溜まった水を常時排出する必要がなく、サウナ装置の施工作業が簡単になるという効果を奏する。
【産業上の利用可能性】
【００７４】
以上のように、本発明の液体微細化装置は、異常時にも、送風手段のファンモータ８の回転数の変化により異常を検知することができるので、液体微細化装置３からの水漏れを防止することができ、液体微細化装置３内に溜まった水を常時排出する必要がなくなり、サウナ装置の施工作業が簡単になるという効果を奏する。
【００７５】
したがって、例えば、サウナ装置、加湿装置、冷却装置、噴霧装置、洗浄装置、植物育成設備等への活用が期待される。また、水だけでなく、油や洗剤等のその他の液体の微細化設備にも利用することが可能である。
【符号の説明】
【００７６】
４      吸込口
５      排気口
６      本体ケース
７      熱交換器
８      ファンモータ
９      液体微細化手段
１０    ファンケーシング
１１    補助熱交換器
１２    筒状の経路
１３    回転手段
１４    給水管
１５    定流量弁
１６    上流側配管
１７    給水弁
１９    回転軸
２０ａ、２０ｂ  回転板
２１    回転モータ
２２    保持部
２３    液体案内手段
２４    貯水手段
２５    水路
２６    排水口
２７    排水管
２８    排水弁
２９    舌部
３０    下方開口部の上端
３１    制御手段
３２    制御部
３３    表示部
３４    排水操作スイッチ
３５    リモコン
３６    温度センサ
３７    マイコン
３８    ポンプ駆動手段
３８ａ  ポンプ
３９    モータ駆動手段
４０    回転駆動手段
４１    給水弁駆動手段
４２    排水弁駆動手段
４３    回転数検知手段
４４    回転数指令手段
４５    電源手段
４６    回転数検知手段
４７    回転数指令手段
４８    電源手段
４９    パイプ
５０    配管
【図１】
0005600950.tif 000002
【図２】
0005600950.tif 000003
【図３】
0005600950.tif 000004
【図４】
0005600950.tif 000005